(57)【要約】      （修正有）【課題】表示された映像の映像関連情報を、短時間で取得することができる映像データ生成装置、および情報提供システムを提供する。【解決手段】表示装置で表示される映像の映像データを生成する映像データ生成部を備え、映像データ生成部は、映像を表示する映像表示フレームＦｍの間に、映像に関連する映像関連情報を提供する情報提供サイトの所在を示すアクセス情報を表示するアクセス情報表示フレームＦａを挿入した映像データを生成する。情報処理端末の撮像部は、表示部に表示されたアクセス情報表示フレームＦａを撮像し、アクセス情報の撮像画像を生成し、画像処理部は、アクセス情報表示フレームＦａの撮像画像からアクセス情報を検出し、ネットワーク通信部は、検出したアクセス情報に基づいて、ネットワークを介して情報提供サイトへアクセスし、情報提供サイトから映像関連情報を受信し、端末表示部は、受信した映像関連情報を表示する。【選択図】図３
0003210216.tif 000002
【実用新案登録請求の範囲】
【請求項１】
表示装置で表示される映像の映像データを生成する映像データ生成部を備え、
前記映像データ生成部は、前記映像を表示する映像表示フレームの間に、前記映像の映像関連情報を提供する情報提供サイトの所在を示すアクセス情報を表示するアクセス情報表示フレームを挿入した前記映像データを生成する、
映像データ生成装置。
【請求項２】
請求項１に記載の映像データ生成装置において、
前記映像データ生成部は、前記映像表示フレームの間に、複数の前記アクセス情報表示フレームを挿入した前記映像データを生成する、
映像データ生成装置。
【請求項３】
請求項２に記載の映像データ生成装置において、
前記映像データ生成部は、前記映像表示フレームの間に、所定の間隔で前記アクセス情報表示フレームを挿入した前記映像データを生成する、
映像データ生成装置。
【請求項４】
請求項１に記載の映像データ生成装置において、
前記映像データ生成部は、前記アクセス情報表示フレームを挿入する前の総フレーム数と、前記アクセス情報表示フレームを挿入した後の総フレーム数とを同一にした前記映像データを生成する、
映像データ生成装置。
【請求項５】
請求項４に記載の映像データ生成装置において、
前記映像データ生成部は、前記アクセス情報表示フレームの挿入箇所の前記映像表示フレームを前記アクセス情報表示フレームに置き換えることにより、前記アクセス情報表示フレームを挿入した前記映像データを生成する、
映像データ生成装置。
【請求項６】
請求項１に記載の映像データ生成装置において、
前記情報提供サイトがネットワークと接続され、
前記映像データ生成部は、前記情報提供サイトの前記ネットワークにおけるアドレス情報で構成された前記アクセス情報を表示する前記アクセス情報表示フレームを挿入した前記映像データを生成する、
映像データ生成装置。
【請求項７】
請求項１に記載の映像データ生成装置において、
前記映像データ生成部は、２次元コードで構成された前記アクセス情報を表示する前記アクセス情報表示フレームを挿入した前記映像データを生成する、
映像データ生成装置。
【請求項８】
映像データ生成装置と、表示装置と、情報処理端末と、情報提供サイトと、
を有し、
前記表示装置は、前記映像データ生成装置で生成された映像データに基づいた映像を表示する表示部を備え、
前記映像データ生成装置は、映像データ生成部を備え、前記映像データ生成部は、前記映像を表示する映像表示フレームの間に、前記映像の映像関連情報を提供する前記情報提供サイトの所在を示すアクセス情報を表示するアクセス情報表示フレームを挿入した前記映像データを生成し、
前記情報処理端末は、撮像部と、画像処理部と、ネットワーク通信部と、端末表示部と、を備え、
前記撮像部は、前記表示部に表示された前記アクセス情報表示フレームを撮像し、前記アクセス情報の撮像画像を生成し、
前記画像処理部は、前記アクセス情報表示フレームの前記撮像画像から前記アクセス情報を検出し、
前記ネットワーク通信部は、検出した前記アクセス情報に基づいて、ネットワークを介して前記情報提供サイトへアクセスし、前記情報提供サイトから前記映像関連情報を受信し、
前記端末表示部は、受信した前記映像関連情報を表示する、
情報提供システム。
【請求項９】
請求項８に記載の情報提供システムにおいて、
前記撮像部は、前記アクセス情報表示フレームの表示時間以下のシャッタースピードで前記アクセス情報表示フレームを撮像する、
情報提供システム。
【請求項１０】
請求項８に記載の情報提供システムにおいて、
前記撮像部は、前記アクセス情報表示フレームを複数回撮像する、
情報提供システム。
【請求項１１】
請求項８に記載の情報提供システムにおいて、
前記映像データ生成装置及び前記表示装置が前記ネットワークと接続され、
前記映像データ生成装置で生成された前記映像データが前記ネットワーク
を介して前記表示装置へ供給される、
情報提供システム。
【請求項１２】
請求項８に記載の情報提供システムにおいて、
前記映像データ生成部で生成された前記映像データを格納するストレージを備え、
前記表示部は、前記ストレージから送信された前記映像データに基づいて前記映像を前記表示部に表示させる、
情報提供システム。
【請求項１３】
請求項１２に記載の情報提供システムにおいて、
前記ストレージ及び前記表示装置が前記ネットワークと接続され、
前記ネットワークを介して前記映像データが前記ストレージから前記表示装置へ供給される、
情報提供システム。
【考案の詳細な説明】
【技術分野】
【０００１】
本考案は、映像データ生成装置、および情報提供システムに関する。
【背景技術】
【０００２】
近年、街頭に設置されたディスプレイや、個人の情報処理端末等に広告を表示する、デジタルサイネージ（電子看板）と呼ばれる広告媒体が普及しつつある。
【０００３】
例えば、特許文献１には、表示装置に表示するコンテンツ情報の切換表示の操作を、簡易な構成により実現した表示装置が開示されている。
【０００４】
具体的には、表示装置は、筐体の前面側において液晶表示体とＬＥＤ表示体を備えてなる。表示装置は、店頭や店舗内に設置される状態で使用され、液晶表示体やＬＥＤ表示体において商品情報、役務情報を表出可能としている。表示装置の正面から観た右側下方位置には、赤外線受光素子と磁気センサが上下並んで配設される。赤外線受光素子は、操作者が保持する赤外線リモコン装置から発信される信号を受信可能とし、また磁気センサは操作者が保持する磁性体の近接・離隔により液晶表示体やＬＥＤ表示体に表示する商品情報、役務情報の切換表示を可能にしている。
【０００５】
また、特許文献２には、広告のために電子機器がスタンドアロンで使用される場合にも限られたリソースの範囲で個人属性を考慮して広告効果を高めることができるようにする電子機器等が開示されている。
【０００６】
具体的には、電子機器は、複数のコンテンツデータを格納する記憶部と、携帯端末との間で近距離無線受信を行う複数の通信チャネルを備えた近距離無線通信部と、前記近距離無線通信部で携帯端末から受信した個人属性情報を所定のルールに従って処理した結果に基づいて前記記憶部からコンテンツデータを選択する制御部と、前記制御部で選択されたコンテンツデータを表示する表示部と、を有する。
【先行技術文献】
【特許文献】
【０００７】
【特許文献１】特開２０１６−２２４３５４号公報
【特許文献２】特開２０１６−１５６８８７号公報
【考案の概要】
【考案が解決しようとする課題】
【０００８】
通行人やユーザー等の視聴者は、ディスプレイや情報処理端末等に表示された広告等の各種映像を視聴することができる。広告の内容に興味を持てば、視聴者は、インターネット検索等により、広告等に関する詳細な情報を取得することできる。しかし、これでは、詳細な情報を取得するまでに、ある程度の手間や時間が掛かってしまう。
【０００９】
そこで、本考案は、表示された映像の映像関連情報を、短時間で取得することが可能な映像データ生成装置、および情報提供システムを提供することを目的とする。
【課題を解決するための手段】
【００１０】
本願において開示される考案のうち、代表的なものの概要を簡単に説明すれば、以下のとおりである。
【００１１】
すなわち、本考案の代表的な実施の形態による映像データ生成装置は、表示装置で表示される映像の映像データを生成する映像データ生成部を備え、映像データ生成部は、映像を表示する映像表示フレームの間に、映像に関連する映像関連情報を提供する情報提供サイトの所在を示すアクセス情報を表示するアクセス情報表示フレームを挿入した映像データを生成する。
【考案の効果】
【００１２】
本願において開示される考案のうち、代表的なものによって得られる効果を簡単に説明すれば以下のとおりである。
【００１３】
すなわち、本考案の代表的な実施の形態によれば、表示された映像に関する情報を、短時間で取得することが可能となる。
【図面の簡単な説明】
【００１４】
【図１】本考案の実施の形態１に係る情報提供システムの構成の一例を示す図である。
【図２】本考案の実施の形態１に係る映像データ生成装置の構成の一例を示す図である。
【図３】本考案の実施の形態１に係る映像データのフレーム構成の例を示す図である。
【図４】本考案の実施の形態１に係る表示装置の構成の一例を示す図である。
【図５】本考案の実施の形態１に係る情報処理端末の構成の一例を示す図である。
【図６】本考案の実施の形態２に係る情報提供システムの構成の一例を示す図である。
【図７】本考案の実施の形態２に係る情報提供システムの構成の一例を示す図である。
【図８】本考案の実施の形態２に係る情報提供システムの構成の一例を示す図である。
【考案を実施するための形態】
【００１５】
以下、本考案の実施の形態を図面に基づいて詳細に説明する。なお、実施の形態を説明するための全ての図において、同一部には原則として同一の符号を付し、その繰り返しの説明は省略する。
【００１６】
（実施の形態１）
＜情報提供システムの構成＞
図１は、本考案の実施の形態１に係る情報提供システムの構成の一例を示す図である。情報提供システム１は、図１に示すように、映像データ生成装置２、表示装置１０、情報処理端末２０、情報提供サイト３０、ネットワーク４０等を備えている。
【００１７】
情報提供システム１では、映像データ生成装置２から供給される映像データに基づいて、広告等の映像や、映像に関する映像関連情報を提供する情報提供サイト３０の所在を示すアクセス情報が表示装置１０に表示される。また、情報処理端末２０は、例えば、表示装置１０に表示されたアクセス情報を検出し、検出したアクセス情報に基づいて、ネットワーク４０を介して情報提供サイト３０へアクセスする。そして、情報処理端末２０は、情報提供サイト３０から表示装置１０に表示されている映像に関連する映像関連情報を受信して表示する。
【００１８】
このように、情報提供システム１は、いわゆるデジタルサイネージと呼ばれる電子公告等に用いられる。
【００１９】
［映像データ生成装置の構成］
図２は、本考案の実施の形態１に係る映像データ生成装置の構成の一例を示す図である。映像データ生成装置２は、図２に示すように、データ送受信部３、映像データ生成部４、データ格納部５等を備えている。映像データ生成装置２には、例えば、映像データ生成処理を行うプロセッサ等を備えたパソコン等の情報処理装置等が用いられる。
【００２０】
データ送受信部３は、例えば外部装置（図示せず）から、アクセス情報フレームが挿入される前の元の映像データ、及び対応するアクセス情報データを受信する。また、データ送受信部３は、例えば、映像データ生成部４で生成された映像データを表示装置１０等へ送信する。データ送受信部３は、表示装置１０からの要求に応じて映像データを送信してもよいし、例えば、映像データを生成するごとに生成した映像データを送信してもよい。また、データ送受信部３は、映像データ生成部４における映像データの生成と並行して映像データを送信してもよい。
【００２１】
データ格納部５は、例えば、映像データ生成部４で生成された映像データを格納する。また、データ格納部５は、元の映像データ、及び対応するアクセス情報データを格納する。なお、データ格納部５は、生成された複数の映像データを格納してもよいし、複数の元の映像データ及びそれぞれに対応する複数のアクセス情報を格納してもよい。また、データ格納部５は、これら以外にも、映像データ生成装置２の各種設定情報を格納してもよい。
【００２２】
図３は、本考案の実施の形態１に係る映像データのフレーム構成の例を示す図である。図３に示す映像データには、人物が歩く様子がフレームごとに示されている。映像データには、映像を表示する映像表示フレームＦｍの間に、アクセス情報を表示するアクセス情報表示フレームＦａが挿入されている。
【００２３】
例えば、図３（ａ）には、アクセス情報表示フレームＦａがランダムに挿入された映像データの一例が示されている。図３（ｂ）には、アクセス情報表示フレームＦａが所定の間隔で挿入された映像データの一例が示されている。なお、図３（ａ）、（ｂ）では、フレームごとに番号が付され、付された番号順に各フレームが表示される。
【００２４】
映像データ生成部４は、例えば、図３（ａ）、（ｂ）に示すように、映像表示フレームＦｍの間に、アクセス情報表示フレームＦａを挿入した映像データを生成する。
【００２５】
アクセス情報は、例えば、情報提供サイト３０のアドレス情報等で構成されている。このアドレス情報は、例えば、ネットワーク４０における情報提供サイト３０のＵＲＬ（Ｕｎｉｆｏｒｍ  Ｒｅｓｏｕｒｃｅ  Ｌｏｃａｔｏｒ）やＩＰ（Ｉｎｔｅｒｎｅｔ  Ｐｒｏｔｏｃｏｌ）アドレス等で構成されている。
【００２６】
また、アクセス情報は、例えば、いわゆるバーコードと呼ばれる１次元コード、スタック型の２次元コードや、図３（ａ）、（ｂ）に示す、いわゆるＱＲコード（登録商標）と呼ばれるマトリクス型の２次元コード等で構成されてもよい。
【００２７】
映像データ生成部４は、例えば図３（ａ）、（ｂ）に示すように、映像表示フレームＦｍの間に、複数のアクセス情報表示フレームＦａを挿入した映像データを生成してもよい。その際、映像データ生成部４は、例えば、図３（ａ）に示すように、ランダムにアクセス情報表示フレームＦａを挿入した映像データを生成してもよいし、図３（ｂ）に示すように、所定の間隔でアクセス情報表示フレームＦａを挿入した映像データを生成してもよい。
【００２８】
また、映像データ生成部４は、例えば、アクセス情報表示フレームＦａを挿入する前の元の映像データの総フレーム数と、アクセス情報表示フレームＦａを挿入した後の映像データの総フレーム数とを同一にした映像データを生成する。詳しくは、映像データ生成部４は、アクセス情報表示フレームＦａを挿入する前の元の映像データの映像表示フレームＦｍのフレーム数と、アクセス情報表示フレームＦａを挿入した後の映像データにおける映像表示フレームＦｍのフレーム数とアクセス情報表示フレームＦａのフレーム数との合計のフレーム数と、が同数になるように映像データを生成する。
【００２９】
例えば、制御部１４は、アクセス情報表示フレームＦａを挿入する箇所の映像表示フレームＦｍをアクセス情報表示フレームＦａに置き換えることにより、アクセス情報表示フレームＦａを挿入する。このように、映像データ生成部４は、挿入するアクセス情報表示フレームＦａのフレーム数に応じて映像表示フレームＦｍのフレーム数を調整することにより、アクセス情報表示フレームＦａの挿入前後における映像データの総フレーム数を調整し、映像表示時間が変動しないようにする。
【００３０】
また、映像データ生成装置２は、アクセス情報表示フレームＦａが挿入された映像データに基づいた映像を表示する表示部を備えていてもよい。これにより、生成された映像データのチェックが、映像データ生成装置２の中で行うことが可能となる。例えば、ディスプレイを備えた機器が映像データ生成装置として用いられる場合には、ディスプレイが映像データのチェック用として用いられてもよい。
【００３１】
［表示装置の構成］
図４は、本考案の実施の形態１に係る表示装置の構成の一例を示す図である。表示装置１０として、例えば、液晶表示装置、有機ＥＬ（Ｅｌｅｃｔｒｏｌｕｍｉｎｅｓｃｅｎｃｅ）表示装置、ＬＥＤ（Ｌｉｇｈｔ  Ｅｍｉｔｔｉｎｇ  Ｄｉｏｄｅ）表示装置、電気泳動表示装置等の各種表示パネルが用いられる。
【００３２】
表示装置１０は、図４に示すように、例えば、表示部１１、データ格納部１２、データ送受信部１３、制御部１４等を備えている。
【００３３】
表示部１１は、映像データ生成装置２から送信された映像データに基づいて、広告等の各種映像を表示する。また、表示部１１は、映像データに基づいて、映像の合間に、映像に関連する映像関連情報を提供する情報提供サイト３０の所在を示すアクセス情報をサブリミナル的に表示する。表示されるアクセス情報は、映像の合間に１フレーム分のみ表示されるので、肉眼ではアクセス情報をほとんど認識することはできない。このため、アクセス情報の表示が、映像表示に影響を与えることはない。
【００３４】
データ格納部１２は、例えば、映像データ生成装置２から送信された映像データを格納する。また、データ格納部１２は、これ以外にも、表示装置１０の各種設定情報を格納してもよい。データ格納部１２は、映像データ生成装置２から送信された複数の映像データを格納してもよい。この場合、表示装置１０は、映像データ生成装置２と接続されていなくても、データ格納部１２に格納された映像データに基づいた映像表示を行うことが可能である。
【００３５】
データ送受信部１３は、例えば、映像データ生成装置２から送信された映像データを受信する。データ送受信部１３は、受信した映像データを、例えば、データ格納部１２に格納する。また、データ送受信部１３は、受信した映像データを制御部１４へ出力してもよい。
【００３６】
制御部１４は、映像表示に関連する映像表示処理等を行う。制御部１４は、例えば、データ格納部１２に格納された映像データを読み出す。そして、制御部１４は、読み出した映像データに基づいて表示部１１に映像を表示させる。すなわち、制御部１４は、例えば、図３（ａ）、（ｂ）に示す映像データの各フレームを付された番号順に切り替えることにより、表示部１１に映像を表示させる。表示部１１には、映像の合間に、２次元コードなどのアクセス情報がサブリミナル的に表示される。なお、制御部１４は、データ送受信部１３から出力された映像データに基づいて映像を表示させてもよい。
【００３７】
［情報処理端末の構成］
図５は、本考案の実施の形態１に係る情報処理端末の構成の一例を示す図である。情報処理端末２０として、例えば、スマートフォン、パソコン、タブレット端末、ゲーム機等、撮像機能や、ネットワーク通信機能等を備えた各種機器が用いられる。
【００３８】
情報処理端末２０は、図５に示すように、撮像部２１、画像処理部２２、ネットワーク通信部２３、端末制御部２４、端末表示部２５、データ格納部２６等を備えている。
【００３９】
撮像部２１は、表示装置１０の表示部１１に表示された映像を撮像し、映像の撮像画像を生成する。撮像部２１は、表示部１１に表示された、例えば２次元コード等のアクセス情報を撮像し、アクセス情報の撮像画像を生成する。なお、撮像画像には、少なくともアクセス情報が含まれていればよく、撮像画像には、表示部１１の周辺領域や、表示装置１０の背景の景色等が写り込んでいても構わない。
【００４０】
また、撮像部２１は、例えば、アクセス情報表示フレームＦａの表示時間以下のシャッタースピードで映像を撮像することが好ましい。アクセス情報表示フレームＦａの表示時間より長いシャッタースピードで撮像されると、アクセス情報表示フレームＦａにより表示されるアクセス情報と、映像表示フレームＦｍにより表示される映像とが重なった撮像画像が生成され、アクセス情報の画像が不鮮明となるからである。
【００４１】
また、撮像部２１は、表示部１１に表示された映像を複数回撮像することが好ましい。このため、撮像部２１は、連続撮像モードを備えていてもよい。連続撮像モードでは、情報処理端末２０のユーザがシャッタースイッチ（図示せず）を操作すると、撮像部２１は、表示部１１に表示された映像を連続して撮像する。そして、撮像部２１は、アクセス情報や映像等が写った撮像画像を順次生成する。
【００４２】
なお、撮像部２１は、動画撮像モードを用いて映像を複数回撮像してもよい。動画データは、フレームごとに撮像された複数の撮像画像を順次つなぎ合わせて生成されるため、必要に応じてアクセス情報の撮像画像を動画データから取り出すことが可能である。撮像部２１は、このように生成した撮像画像を、例えば画像処理部２２へ出力する。なお、撮像部２１は、生成した撮像画像を、後述するデータ格納部２６に格納してもよい。
【００４３】
画像処理部２２は、撮像部２１から出力された、撮像画像に基づいてアクセス情報を検出する。例えば、画像処理部２２は、撮像画像から、アクセス情報としての２次元コード等が表示されたアクセス情報表示領域を抽出する。そして、画像処理部２２は、アクセス情報表示領域から、例えば２次元コードを構成する各ドットのデータを読み出し、２次元コードのビット配列を生成する。そして、画像処理部２２は、生成したビット配列をデコードすることによりアクセス情報を検出する。画像処理部２２は、例えば、２次元コードを読み取るアプリケーションを起動させることによりアクセスコードを検出してもよい。
【００４４】
ネットワーク通信部２３は、画像処理部２２で検出されたアクセス情報に基づいて、図１に示す情報提供サイト３０へアクセスする。ネットワーク通信部２３は、ネットワーク４０を介して、ネットワーク４０におけるＵＲＬ（Ｕｎｉｆｏｒｍ  Ｒｅｓｏｕｒｃｅ  Ｌｏｃａｔｏｒ）等のアドレス情報に基づいて情報提供サイト３０へアクセスする。
【００４５】
そして、ネットワーク通信部２３は、ネットワーク４０を介して、アクセス先の情報提供サイト３０から、表示部１１に表示された映像に関連する映像関連情報を受信する。例えば、ネットワーク通信部２３は、映像関連情報としてブラウザでウェブページを表示するためのウェブページデータ等を情報提供サイト３０から受信する。ネットワーク通信部２３は、受信したウェブページデータ等の映像関連情報を、例えば、端末制御部２４へ出力する。
【００４６】
端末制御部２４は、例えば、ネットワーク通信部２３から出力された映像関連情報を、端末表示部２５に表示させるための処理を行う。映像関連情報としてのウェブページデータがネットワーク通信部２３から出力されると、端末制御部２４はブラウザを起動し、ウェブページデータに基づいたウェブページを端末表示部２５に表示させる。
【００４７】
また、端末制御部２４は、情報処理端末２０を構成する各部の制御を行う。端末制御部２４は、例えば、情報処理端末２０の各種設定を行う設定変更画面を端末表示部２５に表示させ、ユーザからの設定変更の入力を受け付ける。端末制御部２４は、ユーザからの設定変更を受け付けると、例えば、撮像部２１の撮像モードを通常モード（シャッターボタンが１回操作されるごとに１回撮像するモード）、連続撮像モード、動画撮像モードのいずれかのモードに設定する。
【００４８】
また、端末制御部２４は、例えば、情報提供サイト３０のＵＲＬやウェブページデータ等のアクセス情報を、例えば、後述するデータ格納部２６に格納する。また、端末制御部２４は、例えば、データ格納部２６に格納されたアクセス情報を、ユーザからの要求に応じて読み出し、端末表示部２５に映像関連情報を表示させる。
【００４９】
端末表示部２５は、ネットワーク通信部２３が情報提供サイト３０から受信した映像関連情報を表示する。端末表示部２５は、前述したように、例えば、表示部１１に表示された映像に関連するウェブページ等を映像関連情報として表示する。また、端末表示部２５は、これ以外にも、例えば、設定変更画面、撮像画像、動画像等を表示する。端末表示部２５として、例えば、液晶表示装置、有機ＥＬ表示装置、ＬＥＤ表示装置、電気泳動表示装置等が用いられる。
【００５０】
データ格納部２６は、例えば情報提供サイト３０のＵＲＬやウェブページデータ等のアクセス情報を格納する。また、データ格納部２６は、例えば、撮像部２１で生成された撮像画像や動画像等を格納する。また、データ格納部２６は、例えば、情報処理端末２０の各種設定情報を格納してもよい。
【００５１】
［その他の構成要素について］
図１に示す情報提供サイト３０は、表示装置１０の表示部１１に表示された映像に関連する映像関連情報を提供する。情報提供サイト３０は、例えば、インターネット等のネットワーク４０と接続され、情報提供サイト３０には、ネットワーク４０におけるＵＲＬ等のアドレス情報が割り当てられている。情報処理端末２０からアクセスされた情報提供サイト３０は、ネットワーク４０を介して、映像関連情報を情報処理端末２０へ送信する。
【００５２】
ネットワーク４０は、前述したように、例えばインターネットであってもよいし、ＬＡＮ（Ｌｏｃａｌ  Ａｒｅａ  Ｎｅｔｗｏｒｋ）であってもよい。ネットワーク４０がインターネットで構成されていれば、情報提供サイト３０には、例えば、ＵＲＬやＩＰアドレス等がアドレス情報として割り当てられる。また、ネットワーク４０がＬＡＮで構成されていれば、情報提供サイト３０には、例えばＩＰアドレス等がアドレス情報として割り当てられる。
【００５３】
＜本実施の形態による効果＞
本実施の形態によれば、映像データ生成装置２で生成された映像データに基づいて、表示装置１０の表示部１１にアクセス情報が表示させる。この構成によれば、映像の視聴者は、アクセス情報に基づいて情報提供サイト３０に容易にアクセスすることができるので、表示された映像に関連する映像関連情報を短時間で取得することが可能となる。
【００５４】
また、本実施の形態によれば、映像データ生成部４は、映像表示フレームＦｍの間に、アクセス情報表示フレームＦａを挿入した映像データを生成する。この構成によれば、表示部１１には、映像の合間にアクセス情報がサブリミナル的に表示されるので、映像表示を妨げることなくアクセス情報を表示することが可能となる。
【００５５】
また、本実施の形態によれば、映像データ生成部４は、映像表示フレームＦｍの間に、複数のアクセス情報表示フレームを挿入した映像データを生成する。この構成によれば、表示部１１には、アクセス情報が複数回表示されるので、アクセス情報の検出がさらに容易になる。
【００５６】
また、本実施の形態によれば、映像データ生成部４は、映像表示フレームＦｍの間に、所定の間隔でアクセス情報表示フレームＦａを挿入した映像データを生成する。この構成によれば、所定の間隔でアクセス情報が表示されるので、アクセス情報の検出がさらに容易になる。
【００５７】
また、本実施の形態によれば、映像データ生成部４は、アクセス情報表示フレームＦａを挿入する前の元の映像データの総フレーム数と、アクセス情報表示フレームＦａを挿入した後の映像データの総フレーム数とを同一にした映像データを生成する。この構成よれば、映像の再生時間の変動が抑えられるので、視聴者に対し違和感を与えることなく、映像を表示させることが可能となる。
【００５８】
また、本実施の形態によれば、映像データ生成部４は、アクセス情報表示フレームＦａを挿入する箇所の映像表示フレームＦｍをアクセス情報表示フレームＦａに置き換えることにより、アクセス情報表示フレームＦａを挿入した映像データを生成する。この構成によれば、アクセス情報表示フレームＦａの挿入前後において、その他の映像表示フレームＦｍ間の間隔が変動しないので、視聴者に対し、より違和感を与えずに映像を表示させることが可能となる。
【００５９】
また、本実施の形態によれば、映像データ生成部４は、情報提供サイト３０のネットワーク４０におけるアドレス情報で構成されたアクセス情報を表示するアクセス情報表示フレームＦａを挿入した映像データを生成する。この構成によれば、視聴者は、ネットワーク４０を介して情報提供サイト３０へ容易にアクセスすることができるので、より短時間で映像関連情報を取得することが可能となる。
【００６０】
また、本実施の形態によれば、映像データ生成部４は、２次元コードで構成されたアクセス情報を表示するアクセス情報表示フレームＦａを挿入した映像データを生成する。この構成によれば、２次元コードを読み取るアプリケーションを起動することにより、容易にアクセス情報を取得することができるので、アクセス情報の利用が一層促進される。また、広く流通している情報処理端末２０にこのようなアプリケーションを搭載することができるので、アクセス情報取得用の機器を新たに開発する必要がなく、実用化が容易である。
【００６１】
また、本実施の形態によれば、情報処理端末２０は、表示装置１０の表示部１１に表示された映像を撮像し、映像の撮像画像を生成する撮像部２１と、映像の撮像画像からアクセス情報を検出する画像処理部２２と、検出したアクセス情報に基づいて、ネットワーク４０を介して情報提供サイト３０へアクセスし、情報提供サイト３０から映像関連情報を受信するネットワーク通信部２３と、受信した映像関連情報を表示する端末表示部２５と、を備えている。
【００６２】
この構成によれば、情報処理端末２０では、表示部１１に表示された映像の撮像画像に基づいてアクセス情報が検出されるので、簡略化した操作により情報提供サイト３０へ容易にアクセスし、映像関連情報を取得することが可能となる。
【００６３】
また、本実施の形態によれば、撮像部２１は、アクセス情報表示フレームＦａの表示時間以下のシャッタースピードで映像を撮像する。この構成によれば、アクセス情報と映像とが重なった撮像画像が生成されにくくなるので、アクセス情報を鮮明に撮像できる確率を向上させることが可能となる。これにより、アクセス情報の検出に要する処理の工数が抑えられるので、アクセス情報の検出がより短時間で行われる。
【００６４】
また、本実施の形態によれば、撮像部２１は、映像を複数回撮像する。この構成によれば、複数の撮像画像が生成されるので、アクセス情報を鮮明に撮像できる確率をより向上させることが可能となる。これにより、アクセス情報の検出精度がより向上し、より短時間で映像関連情報を取得することが可能となる。
【００６５】
（実施の形態２）
次に、本考案の実施の形態２について説明する。本実施形態では、ストレージから送信された映像データに基づいて、表示装置１０に映像が表示される場合について説明する。なお、以下では、前述の実施の形態と重複する箇所については、原則としてその説明を省略する。
【００６６】
図６、図７、図８は、本考案の実施の形態２に係る情報提供システムの構成の一例を示す図である。情報提供システム１０１は、図６〜図８に示すように、映像データ生成装置２、表示装置１０、情報処理端末２０、情報提供サイト３０、ネットワーク４０、ストレージ１５０等を備えている。
【００６７】
ストレージ１５０は、図６〜図８に示すように、データ格納部１５１、データ送受信部１５２等を備えている。データ格納部１５１は、例えば、表示装置１０へ送信する映像データ等を格納する。例えば、後述するデータ送受信部１５２が映像データ生成装置２から送信された映像データを受信し、データ格納部１５１は、データ送受信部１５２が受信した映像データを格納する。また、データ格納部１５１は、データ送受信部１５２を介して、格納している映像データを表示装置１０へ送信する。なお、データ格納部１５１は、複数の映像データを格納してもよい。
【００６８】
ストレージ１５０のデータ送受信部１５２は、例えば、図６に示すように、映像データ生成装置２のデータ送受信部３、および表示装置１０のデータ送受信部１３と有線又は無線で接続されており、これらデータ送受信部３、１３との間で映像データ等の各種データの送受信を行う。
【００６９】
ストレージ１５０は、例えば、外部からの指示に基づいて映像データを表示装置１０へ送信してもよいし、表示装置１０からの要求に応じて映像データを送信してもよい。また、ストレージ１５０は、外部からの指示や、表示装置１０からの要求なしに、一方的に映像データを表示装置１０へ送信してもよい。例えば、ストレージ１５０は、所定の時間ごとに、同一の映像データを表示装置１０へ送信してもよいし、異なる映像データをランダムに表示装置１０へ送信してもよい。
【００７０】
表示装置１０のデータ送受信部１３は、ストレージ１５０から送信された映像データを受信する。そして、制御部１４は、データ送受信部１３で受信した映像データ基づいた映像を表示部１１へ表示させる。
【００７１】
また、ストレージ１５０のデータ送受信部１５２は、例えば、図７に示すように、ネットワーク４０を介して、表示装置１０のデータ送受信部１３と接続されており、ネットワーク４０を介して映像データ等の送受信を行う。
【００７２】
また、ストレージ１５０のデータ送受信部１５２は、例えば、図８に示すように、ネットワーク４０を介して、映像データ生成装置２のデータ送受信部３、および表示装置１０のデータ送受信部１３と接続されており、ネットワーク４０を介して映像データ等の送受信を行う。
【００７３】
この場合、ストレージ１５０は、映像データ生成装置２から送信された映像データをネットワーク４０を介して受信する。また、ストレージ１５０は、ネットワーク４０を介して、表示装置１０へ映像データを送信する。そして、表示装置１０のデータ送受信部１３は、ネットワーク４０を介して、ストレージ１５０から送信された映像データを受信する。なお、この場合、映像データ生成装置２は、生成した映像データをネットワーク４０を介して表示装置１０へ送信してもよい。
【００７４】
本実施の形態によれば、ストレージ１５０には、アクセス情報表示フレームが挿入された映像データが予め格納されているので、映像データ生成装置２による映像データの生成と、表示装置１０における映像表示とを並行して行わなくてもよい。これにより、映像データ生成装置２にかかる負荷を抑えつつ、所望の映像を安定して表示させることが可能となる。
【００７５】
また、本実施の形態によれば、ストレージ１５０は、複数の映像データを格納することができる。この構成によれば、ストレージ１５０は、異なる映像データを順次表示装置１０へ送信することが可能となるので、映像データを切り替えることによりさまざまな映像を表示させることが可能となる。これにより、映像に関連したより多くの情報を提供することが可能となり、広告宣伝効果をより向上させることが可能となる。
【００７６】
また、本実施の形態によれば、映像データ生成装置２、表示装置１０、およびストレージ１５０がネットワーク４０を介して接続されている。この構成によれば、ネットワーク４０を介して映像データの送受信が行われるので、映像データ生成装置２、表示装置１０、およびストレージ１５０を互いに離れた場所に設置することが可能となる。これにより、映像データ生成装置２、およびストレージ１５０の設置場所の自由度が向上し、情報提供システム１０１が容易に構築される。
【符号の説明】
【００７７】
１…情報提供システム、２…映像データ生成装置、３…データ送受信部、１０…表示装置、１１…表示部、１３…データ送受信部、１４…制御部、２０…情報処理端末、２１…撮像部、２２…画像処理部、２３…ネットワーク通信部、２４…端末制御部、２５…端末表示部、３０…情報提供サイト、４０…ネットワーク、１０１…情報提供システム、１５０…ストレージ、１５１…データ格納部、１５２…データ送受信部
【図１】
0003210216.tif 000003
【図２】
0003210216.tif 000004
【図３】
0003210216.tif 000005
【図４】
0003210216.tif 000006
【図５】
0003210216.tif 000007
【図６】
0003210216.tif 000008
【図７】
0003210216.tif 000009
【図８】
0003210216.tif 000010